(57)【要約】【課題】ラケットの打球部両面を保護するとともに、素振り練習用としても優れたラケットカバーを提供すること。【解決手段】ラケットの打球部の両面をそれぞれ被覆する第１被覆部（７）と第２被覆部（９）の中央に、同一形状のメッシュ部（２１）を形成したラケットカバー。【選択図】　　図１
2004097509.tif 000002
【特許請求の範囲】
【請求項１】
ラケットの打球部における両面を被覆可能であり、必要に応じて前記打球部に対して着脱可能なラケットカバーにおいて、
前記打球部の一方の面を被覆し、前記打球部の形状と実質的に同一の形状を有する第１被覆部と、
前記打球部の他方の面を被覆し、前記打球部の形状と実質的に同一の形状を有し、前記第１被覆部に対向して配置される第２被覆部と、
前記第１被覆部と第２被覆部の対向する外周縁同士の一部を分離不能な状態で接続した固定接続部と、
前記ラケットの打球部を前記第１被覆部と第２被覆部との間に挿脱可能にするために、前記第１被覆部と第２被覆部の対向する前記一部以外の外周縁同士を開閉可能に接続した開放可能接続部と、
前記第１被覆部と第２被覆部のそれぞれ中央の対応する位置に形成されたメッシュ部とを備えることを特徴とするラケットカバー。
【請求項２】
請求項１において、前記メッシュ部は、前記第１被覆部と第２被覆部のそれぞれ中央の対応する位置に形成された開口部の外周縁に対してメッシュ材料を縫製して形成されていることを特徴とするラケットカバー。
【請求項３】
請求項１または２において、前記メッシュ部は前記第１被覆部と第２被覆部の各面積の１５〜４０％であることを特徴とするラケットカバー。
【請求項４】
請求項３において、前記メッシュ部は前記第１被覆部と第２被覆部の各面積の２５〜３５％であることを特徴とするラケットカバー。
【請求項５】
請求項１〜４のいずれかにおいて、前記第１被覆部と第２被覆部の外周縁と前記各メッシュ部の外周縁との間には４〜８ｃｍの間隔が形成されていることを特徴とするラケットカバー。
【請求項６】
請求項１〜５のいずれかにおいて、前記メッシュ部の開口率は６０〜８５％であることを特徴とするラケットカバー。
【請求項７】
請求項６において、前記メッシュ部の開口率は６５〜７５％であることを特徴とするラケットカバー。
【請求項８】
請求項１〜７のいずれかにおいて、前記開放可能接続部はファスナにより構成されていることを特徴とするラケットカバー。
【請求項９】
請求項１〜８のいずれかにおいて、前記固定接続部は縫製により形成されており、該縫製部分の周囲には縫製部分を被覆する周縁保護材が縫製により設けられていることを特徴とするラケットカバー。
【請求項１０】
前記ラケットカバーは、バトミントンラケット用であることを特徴とするラケットカバー。
【発明の詳細な説明】
【０００１】
【発明の属する技術分野】
本発明は、バトミントンラケットやテニスラケットなどの打球部両面をカバーするためのラケットカバーに関するものである。
【０００２】
【従来の技術】
従来のラケットカバーは、ラケットの打球部の形状とほぼ同じ形状を有する２枚の合成皮革をその外周縁に沿って部分的に縫製し、縫製していない外周縁に必要に応じてファスナ等を設けた構造を有している。このような従来のラケットカバーは、ラケットの保管時や運搬時において使用するものであり、ラケットの打球部両面を保護することのみを目的としているものである。したがって、ラケットを使用するときには、ラケットカバーを外すことを前提としている。
【０００３】
一方、ラケットを用いて練習を行う際に、筋力を鍛えてスイング速度を速くする等の目的のために、試合用よりも重い練習用ラケットを用いて素振りをすることがある。このような練習用ラケットは、フレーム部分に比重が高い材料が使用されていたり、中空状フレームの中に芯材が挿入されているものである。しかしながら、このような練習用ラケットはフレームの撓み具合等が試合用ラケットと異なるため、あまり使い勝手がよいとは言えなかった。
【０００４】
そこで、試合用ラケットのフレームに脱着可能な重りを取り付けたり、テーピングしたりするなどの工夫をして、素振りの練習をすることが試みられている。しかしながら、単にフレームに重りをつけるだけでは、素振り時の空気抵抗がほとんど変わらないため、打球時の感覚をつかむことができないという問題があった。また、テーピングするなどの方法では、脱着が煩わしくて実用的ではないという問題もあった。
【０００５】
【発明が解決しようとする課題】
このような従来技術の問題点を考慮して、本発明は、ラケットの打球部両面を保護するとともに、素振り練習用としても優れたラケットカバーを提供することを課題とした。また、本発明は、素振りをしたときに適度な空気抵抗があるために打球時に近い感覚で素振りをすることができ、しかも、脱着が容易なラケットカバーを提供することを課題とした。
【０００６】
【課題を解決するための手段】
上記課題を達成するために鋭意検討を重ねた結果、本発明者は、ラケットカバー中央部にメッシュ部を形成すれば課題を解決しうることを見出し、本発明を提供するに至った。
【０００７】
すなわち本発明は、ラケットの打球部における両面を被覆可能であり、必要に応じて前記打球部に対して着脱可能なラケットカバーにおいて、前記打球部の一方の面を被覆し、前記打球部の形状と実質的に同一の形状を有する第１被覆部と、前記打球部の他方の面を被覆し、前記打球部の形状と実質的に同一の形状を有し、前記第１被覆部に対向して配置される第２被覆部と、前記第１被覆部と第２被覆部の対向する外周縁同士の一部を分離不能な状態で接続した固定接続部と、前記ラケットの打球部を前記第１被覆部と第２被覆部との間に挿脱可能にするために、前記第１被覆部と第２被覆部の対向する前記一部以外の外周縁同士を開閉可能に接続した開放可能接続部と、前記第１被覆部と第２被覆部のそれぞれ中央の対応する位置に形成されたメッシュ部とを備えることを特徴とするラケットカバーを提供するものである。
【０００８】
本発明の好ましい実施態様として、前記メッシュ部が、前記第１被覆部と第２被覆部のそれぞれ中央の対応する位置に形成された開口部の外周縁に対してメッシュ材料を縫製して形成されている態様；前記メッシュ部が前記第１被覆部と第２被覆部の各面積の１５〜４０％である態様；前記メッシュ部が前記第１被覆部と第２被覆部の各面積の２５〜３５％である態様；前記第１被覆部と第２被覆部の外周縁と前記各メッシュ部の外周縁との間に４〜８ｃｍの間隔が形成されている態様；前記メッシュ部の開口率が６０〜８５％である態様；前記メッシュ部の開口率が６５〜７５％である態様；前記開放可能接続部はファスナにより構成されている態様；前記固定接続部が縫製により形成されており、該縫製部分の周囲には縫製部分を被覆する周縁保護材が縫製により設けられている態様；バトミントンラケット用である態様を挙げることができる。
【０００９】
【発明の実施の形態】
以下、本願発明の実施の形態を図面に基づいて説明する。
本発明のラケットカバーは、バトミントンラケット、テニスラケット、スカッシュラケット、その他フレームの内側にガットを張って球等を打つことができる全てのスポーツ用ラケット及び玩具用ラケットに適用可能である。また本明細書において使用している「打球部」等で使用されている「球」の語は、必ずしも球形のボールだけを意味するものではなく、バトミントンの羽根やその他ラケットのガット面によって打つことができる全ての対象物を含む概念である。さらに「打球部」はガットとガットを張るためのフレームを含む構造部分を意味する。以下の説明ではバトミントンラケット用のラケットカバーを例にとって本発明を説明する。
【００１０】
図１および図２は本発明に係るラケットカバー１を示す正面図である。ラケットカバー１は、ラケット３の打球部５の一方の面を被覆し、打球部５の形状と実質的に同一の形状を有する第１被覆部７と、打球部５の他方の面を被覆し、打球部５の形状と実質的に同一の形状を有する第２被覆部９とを備えており、第２被覆部９は第１被覆部７と対向して配置されることにより両被覆部の間に収納部１１が形成されている。
【００１１】
第１被覆部７と第２被覆部９の外周縁の一端側からは、全外周縁の長さのほぼ６０％の長さに亘り、互いに対向する外周縁同士が縫製１３されており、これにより外周縁同士が分離不可能に接続された固定接続部１５が形成されている。縫製部分１３の周囲には、該縫製部分１３を被覆するように帯状の周縁保護材１４が縫製により設けられており、固定接続部１５の擦り切れや縫製１３の糸解れを防止している。尚、固定接続部１５は、第１被覆部７と第２被覆部９の外周縁同士の熱溶着や接着剤による接着により形成してもよい。
【００１２】
本発明において、第１被覆部７と第２被覆部９の外周縁同士の縫製１３は、ラケットの挿脱に支障がなければその長さは特に制限されない。通常は、全外周縁の７０％以下にし、好ましくは６５％以下にする。機能性を重視するならば、全外周縁の５０〜６５％、好ましくは５５〜６２％にする。
【００１３】
第１被覆部７と第２被覆部９の上記固定接続部１５以外の外周縁には、開放可能接続部を構成するファスナ１７が形成されている。図２に示すように、ファスナ１７を開放状態にすることによりラケット３の打球部５を収納部１１内に挿入または収納部１１から取り出しすることができる開放部１９が形成されるようになり、一方ファスナ１７を閉鎖状態にすることにより、打球部５が収納部１１内に収納された状態を維持することができる。尚、開放可能接続部はファスナ１７以外にも、面テープ等の一時的に面同士を接続し、必要に応じて接続を解除することができる従来公知の手段を適用することができる。
【００１４】
第１被覆部７と第２被覆部９は実質的に同様な構成を備えており、両者の中央にはそれぞれ対応する位置にメッシュ部２１が形成されている。メッシュ部２１は、第１被覆部７と第２被覆部９のそれぞれ中央の対応する位置に形成された開口部２３の周縁の内面側に、該開口部２３の大きさよりも一回り大きいメッシュ材料２５を位置決めし、この状態で縫製１３することにより形成されている。
【００１５】
第１被覆部７と第２被覆部９とは実質的に同一形状、同一面積を有するが、メッシュ部２１は第１被覆部７と第２被覆部９の面積の１５〜４０％の面積を有することが好ましく、同面積の２５〜３５％であれば更に好ましい。またメッシュ部２１は、ほぼ楕円形状の第１被覆部７と第２被覆部９を縮小した相似形状あるいは該相似形状に近い形状であることが好ましく、この場合、第１被覆部７と第２被覆部９の外周縁とメッシュ部２１の外周縁との間には４〜８ｃｍの間隔が形成されていることが好ましく、５〜７ｃｍの間隔が形成されていることがより好ましい。
【００１６】
このような位置にメッシュ部２１が形成されることにより、ラケット３を素振りするときに、メッシュ部２１の周囲ではバランス良く適度な風圧抵抗を感じることができる共に、メッシュ部２１では空気を通過させることができため素振りの抜けが良くなる。これにより、ラケットの素振り練習において適度な風圧抵抗を感じるため、ラケットカバー１を外してラケット３のみの素振りをしたときには、ストロークが楽に感じるようになる効果が得られる。
【００１７】
メッシュ部２１は例えば図４に示すようにハニカム形状の他、一定太さの線部材が格子状に直交する形状など従来公知のいずれのメッシュ形態を採用してもよい。いずれのメッシュ形態においても、メッシュ部２１の開口率は６０〜８５％であることが好ましく、６５〜７５％であることが更に好ましい。ここでメッシュ部２１の開口率とは、メッシュ部２１全体の面積のうち、メッシュ材料２５によって占められる部分以外の領域２７の面積（これは空気が流通可能な部分の面積に対応する）の占める割合をいう。
【００１８】
メッシュ部２１の開口率を上記のように設定することにより、スイートスポットを含む開口部２３内でも一定の風圧抵抗を生じさせることができるため、打球時の感覚により近い感覚で素振り練習を行うことができる。
【００１９】
本発明のラケットカバーのその他の実施態様として、図５に示す態様を例示することができる。すなわち、図５（ａ）および（ｂ）に示すように、第１被覆部と第２被覆部には複数のメッシュ部（開口部）２１が形成されていてもよい。メッシュ部の個数は、第１被覆部と第２被覆部それぞれにおいて１〜１００個、好ましくは１〜５０個、更に好ましくは１〜２５個である。各メッシュ部の形状は、互いに同一であってもよいし、異なっていてもよい。また、各メッシュ部の配置は特に制限されないが、規則性をもって配置させることが好ましい。
【００２０】
【発明の効果】
本発明のラケットカバーは、ラケットの打球部両面を保護するとともに、素振り練習用としても優れている。特に、素振りをしたときに適度な空気抵抗があるために打球時に近い感覚で素振りをすることができ、しかも、脱着が容易であるという特徴を有する。
【図面の簡単な説明】
【図１】本発明のラケットカバーをバトミントンラケットに適用している様子を示す正面図である。
【図２】本発明のラケットカバーのファスナを開放した状態を示す正面図である。
【図３】ラケットカバーの第２被覆部を裏面側から示す正面図である。
【図４】メッシュ材料の一例を示す拡大図である。
【図５】本発明のラケットカバーの第１被覆部に設けられた開口部のバリエーションを示す正面図である。
【符号の説明】
１　ラケットカバー
３　ラケット
５　打球部
７　第１被覆部
９　第２被覆部
１１　収納部
１３　縫製
１４　周縁保護材
１５　固定接続部
１７　ファスナ
１９　開放部
２１　メッシュ部
２３　開口部
２５　メッシュ材料
２７　メッシュ材料によって占められる部分以外の領域
【図１】
2004097509.tif 000003
【図２】
2004097509.tif 000004
【図３】
2004097509.tif 000005
【図４】
2004097509.tif 000006
【図５】
2004097509.tif 000007
【手続補正書】
【提出日】平成15年2月24日(2003.2.24)
【手続補正１】
【補正対象書類名】明細書
【補正対象項目名】特許請求の範囲
【補正方法】変更
【補正の内容】
【特許請求の範囲】
【請求項１】
ラケットの打球部における両面を被覆可能であり、必要に応じて前記打球部に対して着脱可能なラケットカバーにおいて、
前記打球部の一方の面を被覆し、前記打球部の形状と実質的に同一の形状を有する第１被覆部と、
前記打球部の他方の面を被覆し、前記打球部の形状と実質的に同一の形状を有し、前記第１被覆部に対向して配置される第２被覆部と、
前記第１被覆部と第２被覆部の対向する外周縁同士の一部を分離不能な状態で接続した固定接続部と、
前記ラケットの打球部を前記第１被覆部と第２被覆部との間に挿脱可能にするために、前記第１被覆部と第２被覆部の対向する前記一部以外の外周縁同士を開閉可能に接続した開放可能接続部と、
前記第１被覆部と第２被覆部のそれぞれ中央の対応する位置に形成されたメッシュ部とを備え、
前記第１被覆部と第２被覆部の外周縁と前記各メッシュ部の外周縁との間には４〜８ｃｍの間隔が形成されていることを特徴とするラケットカバー。
【請求項２】
請求項１において、前記メッシュ部は、前記第１被覆部と第２被覆部のそれぞれ中央の対応する位置に形成された開口部の外周縁に対してメッシュ材料を縫製して形成されていることを特徴とするラケットカバー。
【請求項３】
請求項１または２において、前記メッシュ部は前記第１被覆部と第２被覆部の各面積の１５〜４０％であることを特徴とするラケットカバー。
【請求項４】
請求項３において、前記メッシュ部は前記第１被覆部と第２被覆部の各面積の２５〜３５％であることを特徴とするラケットカバー。
【請求項５】
請求項１〜４のいずれかにおいて、前記メッシュ部の開口率は６０〜８５％であることを特徴とするラケットカバー。
【請求項６】
請求項５において、前記メッシュ部の開口率は６５〜７５％であることを特徴とするラケットカバー。
【請求項７】
請求項１〜６のいずれかにおいて、前記開放可能接続部はファスナにより構成されていることを特徴とするラケットカバー。
【請求項８】
請求項１〜７のいずれかにおいて、前記固定接続部は縫製により形成されており、該縫製部分の周囲には縫製部分を被覆する周縁保護材が縫製により設けられていることを特徴とするラケットカバー。
【請求項９】
前記ラケットカバーは、バトミントンラケット用であることを特徴とする請求項１〜８のいずれかのラケットカバー。